(57)【要約】      （修正有）【課題】資産投下者に適切な情報を提供する資産投下支援システム、資産投下支援方法、及び資産投下支援プログラムを提供する。【解決手段】資産投下支援サーバ１０３は、資産投下者が現在行っている資産投下の現在情報を記憶する現在情報記憶部３０３１と、資産投下者が過去に行った資産投下に関する過去情報を記憶する過去情報記憶部３０３２と、現在情報のうち、第１の資産投下者の現在行為情報を取得する現在行為情報取得部３０３３と、過去情報のうち、第２の資産投下者の過去行為情報と、過去行為情報が示す行為に基づく資産投下の結果に関する過去結果情報とを取得する過去行為結果情報取得部３０３４と、過去行為情報のうち、現在行為情報に類似する過去行為情報が示す行為に基づく資産投下の結果に関する過去結果情報を特定する過去結果情報特定部３０３５と、特定した過去結果情報を、過去行為情報と共に出力する情報出力部３０３６とを備える。【選択図】図３
2017107314.tif 000002
【特許請求の範囲】
【請求項１】
資産投下者による資産投下を支援する資産投下支援システムであって、
資産投下者が現在行っている資産投下に関する情報である現在情報を記憶する現在情報記憶部と、
資産投下者が過去に行った資産投下に関する情報である過去情報を記憶する過去情報記憶部と、
前記記憶した現在情報から第１の資産投下者を特定し、特定した第１の資産投下者が資産投下のために現在行っている行為を示す情報である現在行為情報を取得する現在行為情報取得部と、
前記記憶した過去情報から第２の資産投下者を特定し、特定した第２の資産投下者が資産投下のために過去に行った行為を示す情報である過去行為情報と、前記過去行為情報が示す行為に基づく資産投下の結果に関する情報であり、前記過去行為情報に対応する情報である過去結果情報とを取得する過去行為結果情報取得部と、
前記取得した過去行為情報のうち、前記取得した現在行為情報に類似する前記過去行為情報を抽出し、抽出した過去行為情報が示す行為に基づく資産投下の結果に関する前記過去結果情報を特定する過去結果情報特定部と、
前記特定した過去結果情報を、前記過去結果情報に対応する前記過去行為情報と共に出力する情報出力部と、
を備える資産投下支援システム。
【請求項２】
前記過去行為結果情報取得部は、前記第２の資産投下者として、前記現在行為情報取得部が特定した前記第１の資産投下者を特定する、請求項１に記載の資産投下支援システム。
【請求項３】
前記過去行為結果情報取得部は、前記第２の資産投下者として、前記現在行為情報取得部が特定した前記第１の資産投下者以外の資産投下者を特定する、請求項１に記載の資産投下支援システム。
【請求項４】
前記過去行為結果情報取得部は、前記第２の資産投下者を、前記記憶した現在行為情報と、前記過去行為情報との類似性に基づき特定する、請求項３に記載の資産投下支援システム。
【請求項５】
前記現在行為情報取得部は、前記資産投下の対象の現在の状態を表す前記現在情報である現在状況情報を取得し、
前記過去行為結果情報取得部は、前記資産投下の対象の過去の状態を示す前記過去情報である過去状況情報を取得し、
前記過去結果情報特定部は、前記取得した現在状況情報及び前記取得した過去状況情報の類似性に基づき、前記現在行為情報取得部が取得した現在行為情報に類似する前記過去行為情報を抽出する、
請求項１に記載の資産投下支援システム。
【請求項６】
前記過去結果情報特定部は、前記特定した過去結果情報のうち、資産投下の費用対効果が最も高い結果を示している前記過去結果情報を特定する、請求項１に記載の資産投下支援システム。
【請求項７】
前記現在行為情報取得部は、前記資産投下の対象の現在の状態を表す前記現在情報である現在状況情報を取得し、
前記現在行為情報取得部は、前記現在行為情報として、前記第１の資産投下者による前記資産投下の対象に対する評価に関する情報である現在評価行為情報を複数取得し、
前記過去行為結果情報取得部は、前記第２の資産投下者を、前記記憶した現在行為情報と、前記過去行為情報との類似性に基づき特定し、
前記過去行為結果情報取得部は、前記資産投下の対象の過去の状態を示す前記過去情報である過去状況情報を取得し、
前記過去行為結果情報取得部は、前記過去行為情報として、前記第２の資産投下者が過去に行った前記資産投下の対象に対する評価に関する情報である過去評価行為情報を複数取得し、
前記過去結果情報特定部は、前記取得した過去評価行為情報のうち、その評価の変化が前記取得した現在評価行為情報の評価の変化に類似する前記過去評価行為情報であって、かつ、前記取得した現在状況情報及び前記取得した過去状況情報の類似性に基づき、前記現在行為情報取得部が取得した現在行為情報に類似する前記過去行為情報を抽出する、
請求項１に記載の資産投下支援システム。
【請求項８】
資産投下者による資産投下を支援する方法であって、
プログラムを実行するプロセッサとメモリとを有する情報処理装置が、
資産投下者が現在行っている資産投下に関する情報である現在情報を記憶し、
資産投下者が過去に行った資産投下に関する情報である過去情報を記憶し、
前記記憶した現在情報から第１の資産投下者を特定し、特定した第１の資産投下者が資産投下のために現在行っている行為を示す情報である現在行為情報を取得し、
前記記憶した過去情報から第２の資産投下者を特定し、特定した第２の資産投下者が資産投下のために過去に行った行為を示す情報である過去行為情報と、前記過去行為情報が示す行為に基づく資産投下の結果に関する情報であり、前記過去行為情報に対応する情報である過去結果情報とを取得し、
前記取得した過去行為情報のうち、前記取得した現在行為情報に類似する前記過去行為情報を抽出し、抽出した過去行為情報が示す行為に基づく資産投下の結果に関する前記過去結果情報を特定し、
前記特定した過去結果情報を、前記過去結果情報に対応する前記過去行為情報と共に出力する、
資産投下支援方法。
【請求項９】
資産投下者による資産投下を支援する資産投下支援プログラムであって、
プロセッサ及びメモリを有する情報処理装置に、
資産投下者が現在行っている資産投下に関する情報である現在情報を記憶する機能と、
資産投下者が過去に行った資産投下に関する情報である過去情報を記憶する機能と、
前記記憶した現在情報から第１の資産投下者を特定し、特定した第１の資産投下者が資産投下のために現在行っている行為を示す情報である現在行為情報を取得する機能と、
前記記憶した過去情報から第２の資産投下者を特定し、特定した第２の資産投下者が資産投下のために過去に行った行為を示す情報である過去行為情報と、前記過去行為情報が示す行為に基づく資産投下の結果に関する情報であり、前記過去行為情報に対応する情報である過去結果情報とを取得する機能と、
前記取得した過去行為情報のうち、前記取得した現在行為情報に類似する前記過去行為情報を抽出し、抽出した過去行為情報が示す行為に基づく資産投下の結果に関する前記過去結果情報を特定する機能と、
前記特定した過去結果情報を、前記過去結果情報に対応する前記過去行為情報と共に出力する機能と、
を実現させるための資産投下支援プログラム。
【発明の詳細な説明】
【技術分野】
【０００１】
本発明は、資産投下支援システム、資産投下支援方法、及び資産投下支援プログラムに関する。
【背景技術】
【０００２】
競馬、競艇、競輪等の公営競技における投票や、為替取引、株式取引等における投資といった、費用対効果を期待した所定の商品への資産投下（以下、単に資産投下という）を行う場合、この資産投下に対する費用対効果の変動（例えば、出走馬や投資銘柄等の商品の人気や評価の変動）を考慮することが通常である。
【０００３】
この資産投下に関する情報を提供する技術として、例えば特許文献１には、対象商品の人気の変動が短期間のうちに費用対効果に影響を与える分野において、行動者の行動について、費用（価格）または効果（リターン）が過大評価であるか、妥当評価であるか、過小評価であるかを判断する参考情報を配信する技術が記載されている。また、特許文献２には、行動者自身の嗜好情報に照合し、嗜好性が類似する行動者の批評情報を提供する技術が記載されている。
【先行技術文献】
【特許文献】
【０００４】
【特許文献１】特開２０１５−０５２９５２号公報
【特許文献２】特開２０１３−１７１４３６号公報
【発明の概要】
【発明が解決しようとする課題】
【０００５】
しかし、特許文献１については、単に結果として費用（価格）または効果（リターン）が過大評価であるか、妥当評価であるか、過小評価であるかの情報を提供するに過ぎず、その評価の根拠が必ずしも明らかではないので、資産投下のための情報提供としては充分とはいえず、資産投下者の行動意欲を満たすことはできない。
【０００６】
また、特許文献２の批評者の推薦技術は、多数の批評者による膨大な評価情報の中から、行動者自身の嗜好に合う批評者の評価情報を提供するが、個人の嗜好性のみに基づく情報を提供する同文献では、資産投下者の購買欲を満たすような情報を提供することはできない。
【０００７】
本発明は、このような事情に鑑みてなされたもので、資産投下者に適切な情報を提供することが可能な資産投下支援システム、資産投下支援方法、及び資産投下支援プログラムを提供することを目的とする。
【課題を解決するための手段】
【０００８】
前述の課題を解決するための本発明の一態様は、資産投下者による資産投下を支援する資産投下支援システムであって、資産投下者が現在行っている資産投下に関する情報である現在情報を記憶する現在情報記憶部と、資産投下者が過去に行った資産投下に関する情報である過去情報を記憶する過去情報記憶部と、前記記憶した現在情報から第１の資産投下者を特定し、特定した第１の資産投下者が資産投下のために現在行っている行為を示す情報である現在行為情報を取得する現在行為情報取得部と、前記記憶した過去情報から第２の資産投下者を特定し、特定した第２の資産投下者が資産投下のために過去に行った行為を示す情報である過去行為情報と、前記過去行為情報が示す行為に基づく資産投下の結
果に関する情報であり、前記過去行為情報に対応する情報である過去結果情報とを取得する過去行為結果情報取得部と、前記取得した過去行為情報のうち、前記取得した現在行為情報に類似する前記過去行為情報を抽出し、抽出した過去行為情報が示す行為に基づく資産投下の結果を特定する過去結果情報特定部と、前記特定した過去結果情報を、前記過去結果情報に対応する前記過去行為情報と共に出力する情報出力部と、を備える。
【発明の効果】
【０００９】
本発明によれば、資産投下者に適切な情報を提供することができる。
【図面の簡単な説明】
【００１０】
【図１】図１は、本実施形態として説明する資産投下支援システム１０１の構成を説明する図である。
【図２】図２は、本実施形態として説明する資産投下支援システム１０１の他の構成を説明する図である。
【図３】図３は、資産投下支援サーバ１０３が備えるハードウェア、及びそれにより実現される機能を説明する図である。
【図４】図４は、端末１０２が備えるハードウェア、及びそれにより実現される機能を説明する図である。
【図５】図５は、現在状況情報テーブル３１１の一例を説明する図である。
【図６】図６は、現在行動情報テーブル３１２の一例を説明する図である。
【図７】図７は、過去状況情報テーブル３１３の一例を説明する図である。
【図８】図８は、過去行動情報テーブル３１４の一例を説明する図である。
【図９】図９は、過去結果情報テーブル３１５の一例を説明する図である。
【図１０】図１０は、端末１０２の出力部９０５に表示される購入画面の一例である。
【図１１】図１１は仮購入画面の一例を説明する図である。
【図１２】図１２は、現在情報記録・参考情報特定処理Ｓ１０を説明するフローチャートである。
【図１３】図１３は、過去情報記録処理Ｓ２０を説明するフローチャートである。
【図１４】図１４は、現在評価行動情報記録処理Ｓ１９０１の詳細を説明するフローチャートである。
【図１５】図１５は、現在軸選択行動情報記録処理Ｓ２００１の詳細を説明するフローチャートである。
【図１６】図１６は、現在仮購入情報記録処理Ｓ２１０１の詳細を説明するフローチャートである。
【図１７】図１７は、現在購入情報記録処理Ｓ２２０１を示すフローチャートである。
【図１８】図１８は、参考情報特定処理Ｓ３００１の詳細を説明するフローチャートである。
【図１９】図１９は、類似過去行為情報特定処理Ｓ１７０３の詳細を説明するフローチャートである。
【図２０】図２０は、類似過去結果情報特定処理Ｓ１７０４の詳細を説明するフローチャートである。
【図２１】図２１は、他者特定処理Ｓ１７０２の詳細を説明するフローチャートである。
【図２２】図２２は、過去結果情報記録処理Ｓ１８０２の詳細を説明するフローチャートである。
【図２３】図２３は、過去状況・行為情報記録処理Ｓ１８０３の詳細を説明するフローチャートである。
【図２４】図２４は、変換表３０００の一例を説明する図である。
【図２５】図２５は、変換表３１００の一例を説明する図である。
【発明を実施するための形態】
【００１１】
以下、本発明の実施形態について、図面を参照しつつ説明する。図１は、本実施形態として説明する資産投下支援システム１０１の構成を説明する図である。同図に示すように、資産投下支援システム１０１は、１つもしくは複数の端末１０２と、資産投下支援サーバ１０３と、端末１０２及び資産投下支援サーバ１０３の間を通信可能に接続する通信ネットワーク１０４とを含んで構成されている。資産投下支援システム１０１は、競馬、競艇、競輪等の公営競技において、所定の商品（エントリーされる競走馬、艇、自転車）に対する資産投下（投票券の購入等）を行う者（以下、資産投下者という）を支援するためのシステムである。なお、本実施形態では、本発明を競馬に適用した場合を前提として説明を行う。
【００１２】
資産投下支援サーバ１０３は、情報処理装置（コンピュータ）であり、資産投下者に関する情報を記憶、管理、生成する。また、資産投下支援サーバ１０３は、図１に示すように、資産投下の対象となる商品（すなわち競走馬）の情報１０８を記憶している。
【００１３】
なお、この情報１０８は、図２に示すように、資産投下支援サーバ１０３とは別の情報処理装置（以下、管理サーバ１０６という）に記憶させて、資産投下支援サーバ１０３は、この管理サーバ１０６から、通信ネットワーク１０４を介して情報１０８を取得するようにしてもよい。本実施形態では、図２に示す構成を前提として説明を行う。
【００１４】
端末１０２は、たとえばＰＣ（パーソナルコンピュータ）、携帯電話、スマートフォン、タブレットといった情報処理装置（コンピュータ）であり、各資産投下者が使用する端末である。端末１０２には、資産投下者が入力した情報を出力し、また、資産投下支援サーバ１０３が生成した情報を資産投下支援サーバ１０３から受信して出力することが可能なプログラムである、ブラウザ１０５が搭載されている。
【００１５】
図３は、資産投下支援サーバ１０３が備えるハードウェア、及びそれにより実現される機能を説明する図である。同図に示すように、資産投下支援サーバ１０３は、ハードウェアとして、ＣＰＵ（Central Processing Unit）等のプロセッサからなる制御部３０１と
、端末１０２と通信するための通信インタフェース部３０２と、ＲＡＭ（Random Access Memory）、ＲＯＭ（Read Only Memory）、及びＮＶＲＡＭ（Non-Volatile RAM）等のメモリ、及び／又はハードディスクやＳＳＤ（Solid State Drive）等の記憶装置からなる記
憶部３０３と、タッチパネルや操作ボタン等からなる入力部３１６と、液晶ディスプレイ、プリンタ等からなる出力部３１７を備える。これらの各部はバス３１８（ＢＵＳ）によって接続されている。
【００１６】
資産投下支援サーバ１０３は、現在情報記憶部３０３１、過去情報記憶部３０３２、現在行為情報取得部３０３３、過去行為結果情報取得部３０３４、過去結果情報特定部３０３５、及び情報出力部３０３６の各機能を備える。また、資産投下支援サーバ１０３は、現在状況情報テーブル３１１、現在行動情報テーブル３１２、過去状況情報テーブル３１３、過去行動情報テーブル３１４、及び過去結果情報テーブル３１５を備える。
【００１７】
現在情報記憶部３０３１は、資産投下者が現在行っている資産投下に関する情報（以下、現在情報という）を、現在状況情報テーブル３１１、又は現在行動情報テーブル３１２に記憶する。
【００１８】
過去情報記憶部３０３２は、資産投下者が過去に行った資産投下に関する情報（以下、過去情報という）を過去状況情報テーブル３１３、過去行動情報テーブル３１４、又は過
去結果情報テーブル３１５に記憶する。
【００１９】
現在行為情報取得部３０３３は、現在情報記憶部３０３１が記憶した現在行為情報から資産投下者（以下、第１の資産投下者という）を特定し、特定した第１の資産投下者が資産投下のために現在行っている行為を示す情報（以下、現在行為情報という）を取得する。例えば、現在行為情報取得部３０３３は、現在行為情報として、第１の資産投下者による資産投下の対象に対する評価に関する情報（以下、現在評価行為情報という）を複数取得する。
【００２０】
また、現在行為情報取得部３０３３は、資産投下の対象の現在の状態を表す現在情報（以下、現在状況情報という）を取得する。
【００２１】
過去行為結果情報取得部３０３４は、過去情報記憶部３０３２が記憶した過去情報から資産投下者（以下、第２の資産投下者という）を特定し、特定した第２の資産投下者が資産投下のために過去に行った行為を示す情報（以下、過去行為情報という）と、前記過去行為情報が示す行為に基づく資産投下の結果に関する情報であり、過去行為情報に対応する情報（以下、過去結果情報という）とを取得する。
【００２２】
例えば、過去行為結果情報取得部３０３４は、第２の資産投下者として、現在行為情報取得部３０３３が特定した第１の資産投下者を特定する。また、例えば、過去行為結果情報取得部３０３４は、第２の資産投下者として、現在行為情報取得部３０３３が特定した第１の資産投下者以外の資産投下者を特定する。また、例えば、過去行為結果情報取得部３０３４は、第２の資産投下者を、現在情報記憶部３０３１が記憶した現在行為情報と、過去情報記憶部３０３２が記憶した過去行為情報との類似性に基づき特定する。
【００２３】
また、例えば、過去行為結果情報取得部３０３４は、過去行為情報として、第２の資産投下者が過去に行った資産投下の対象に対する評価に関する情報（以下、過去評価行為情報という）を取得する。
【００２４】
また、過去行為結果情報取得部３０３４は、資産投下の対象の過去の状態を示す情報（以下、過去状況情報という）を取得する。
【００２５】
過去結果情報特定部３０３５は、過去行為結果情報取得部３０３４が取得した過去行為情報のうち、現在行為情報取得部３０３３が取得した現在行為情報に類似する過去行為情報を抽出し、抽出した過去行為情報が示す行為に基づく資産投下の結果に関する過去結果情報（以下、参考情報ともいう）を特定する。
【００２６】
例えば、過去結果情報特定部３０３５は、特定した過去結果情報のうち、資産投下の費用対効果が最も高い結果を示している過去結果情報を特定する。
【００２７】
また、例えば、過去結果情報特定部３０３５は、現在行為情報取得部３０３３が取得した現在状況情報及び過去行為結果情報取得部３０３４が取得した過去状況情報の類似性に基づき、現在行為情報取得部３０３３が取得した現在行為情報に類似する過去行為情報を抽出する。
【００２８】
また、例えば、過去結果情報特定部３０３５は、過去行為結果情報取得部３０３４が取得した過去評価行為情報のうち、その評価の変化が、過去行為結果情報取得部３０３４が取得した現在評価行為情報の評価の変化に類似する過去評価行為情報を抽出する。
【００２９】
情報出力部３０３６は、過去結果情報特定部３０３５が特定した過去結果情報を、当該
過去結果情報に対応する過去行為情報と共に出力する。
【００３０】
以上の、資産投下支援サーバ１０３における各機能は、資産投下支援サーバ１０３のハードウエアによって、もしくは、資産投下支援サーバ１０３の制御部３０１が、記憶部３０３に格納されているプログラムを読み出して実行することにより実現される。なお、このプログラムは、メモリカード、光ディスク等の他の記録媒体に記録したものであってもよい。
【００３１】
図４は、端末１０２が備えるハードウェア、及びそれにより実現される機能を説明する図である。同図に示すように、端末１０２は、ハードウェアとして、ＣＰＵ（Central Processing Unit）等のプロセッサからなる制御部９０１と、資産投下支援サーバ１０３と
通信するための通信インタフェース部９０２と、ＲＡＭ（Random Access Memory）、ＲＯＭ（Read Only Memory）、及びＮＶＲＡＭ（Non-Volatile RAM）等のメモリ、及び／又はハードディスクやＳＳＤ（Solid State Drive）等の記憶装置からなり、ブラウザ１０５
のプログラムを記憶している記憶部９０３と、タッチパネルや操作ボタン等からなる入力部９０４と、液晶ディスプレイ、プリンタ等からなる出力部９０５とを備える。これらの各部はバス９０６（ＢＵＳ）によって接続されている。なお、ブラウザ１０５の機能は、端末１０２のハードウエアによって、もしくは、端末１０２の制御部９０１が、記憶部３０３に格納されているプログラムを読み出して実行することにより実現される。なお、このプログラムは、メモリカード、光ディスク等の他の記録媒体に記録したものであってもよい。
【００３２】
図５は、現在状況情報テーブル３１１の一例を説明する図である。同図に示すように、現在状況情報テーブル３１１は、現在情報のうち、資産投下の対象（本実施形態では競走馬）の現在の状態を表す情報（現在状況情報）を記録したテーブルであり、現在レース状況情報テーブル１００１、及び現在競走馬状況情報テーブル１０２１を含んで構成される。
【００３３】
現在レース状況情報テーブル１００１は、現在状況情報のうち、開催が予定され、資産投下者が資産投下を行うレース（以下、開催レースという）に関する情報（以下、現在レース状況情報という）を記録したテーブルであり、開催レースが開催される日付を特定する情報である開催年月日１００２、そのレースが開催される場所を示す情報である開催場１００３、そのレースを特定するための情報であるレース番号１００４、そのレースの距離に関する情報である距離１００５、そのレースの馬場の状態を示す情報である馬場１００６、及びそのレースが開催される日付における天候を示す情報である天気１００７の各項目を含む、少なくとも１つ以上のレコードから構成される。
【００３４】
現在競走馬状況情報テーブル１０２１は、現在状況情報のうち、各競走馬の属性に関する情報（以下、現在競走馬状況情報という）を記録したテーブルであり、開催レースが開催される日付を特定する情報である開催年月日１０２２、そのレースが開催される場所を示す情報である開催場１０２３、そのレースを特定するための情報であるレース番号１０２４、そのレースに出走する競走馬を特定するための情報である馬番１０２５、その競走馬の名称である競走馬名１０２６、その競走馬の人気を示す、払戻金の倍率に関する情報であるオッズ１０２７、及びその競走馬の着順に関する情報である着順１０２８の各項目を含む、少なくとも１つ以上のレコードから構成される。なお、着順１０２８には、開催レースの終了後に情報が格納される。なお、オッズ１０２７には、連勝等、複数の競走馬に対するオッズの情報も記録される。
【００３５】
図６は、現在行動情報テーブル３１２の一例を説明する図である。同図に示すように、現在行動情報テーブル３１２は、現在行為情報を記録したテーブルであり、現在評価行動
情報テーブル１１０１、現在軸選択行動情報テーブル１１２１、現在仮購入行動情報テーブル１１４１、及び現在購入行動情報テーブル１１６１を含んで構成される。
【００３６】
なお、以上の現在行動情報テーブル３１２の内容は、管理サーバ１０６から送信される情報により随時更新されるが、資産投下支援サーバ１０３の管理者等の入力により更新されてもよい。
【００３７】
現在評価行動情報テーブル１１０１は、現在行為情報のうち、各競走馬に対する評価を決定するための行為（以下、評価行為という）に関する情報（以下、現在評価行動情報、又は現在評価行為情報という）の履歴を記録している。同図に示すように、現在評価行動情報テーブル１１０１は、資産投下者を特定する情報であるユーザ１１０２、開催レースが開催される日付を特定する情報である開催年月日１１０３、そのレースが開催される場所を特定する情報である開催場１１０４、そのレースを特定するための情報であるレース番号１１０５、そのレースに出走する競走馬を特定する情報である馬番１１０６、競走馬に対する評価行為の内容を特定する情報である評価１１０７、及びその評価行為が行われた時刻を特定する情報である行動時刻１１０８の各項目を含む、少なくとも１つ以上のレコードから構成される。
【００３８】
現在軸選択行動情報テーブル１１２１は、現在行為情報のうち、上位の着順になる可能性が高い競走馬（いわゆる軸馬）を決定する行為（以下、軸選択という）に関する情報（以下、現在軸選択行動情報という）の履歴を記録している。同図に示すように、現在軸選択行動情報テーブル１１２１は、資産投下者を特定する情報であるユーザ１１２２、開催レースが開催される日付を特定する情報である開催年月日１１２３、そのレースが開催される場所を特定する情報である開催場１１２４、そのレースを特定するための情報であるレース番号１１２５、軸選択の内容を特定する情報である軸選択１１２６、及び軸選択が行われた時刻を特定する情報である行動時刻１１２７の各項目を含む、少なくとも１つ以上のレコードから構成される。
【００３９】
現在仮購入行動情報テーブル１１４１は、現在行為情報のうち、投票券の購入を仮に決定する行為（以下、仮購入という）に関する情報（以下、現在仮購入行動情報という）の履歴を記録している。同図に示すように、現在仮購入行動情報テーブル１１４１は、資産投下者を特定する情報であるユーザ１１４２と、開催レースが開催される日付を特定する情報である開催年月日１１４３と、そのレースが開催される場所を特定する情報である開催場１１４４と、そのレースを特定するための情報であるレース番号１１４５と、仮購入の方法（例えば、単勝、複勝、連勝（三連単等））を特定する情報である式別１１４６と、仮購入の対象の競走馬を特定する情報である組番Ａ１１４７、組番Ｂ１１４８、及び組番Ｃ１１４９と、仮購入した投票券の数（票数）を特定する票数１１５０と、仮購入を行った時刻を特定する情報である行動時刻１１５１とを含む各項目を有する、少なくとも１つ以上のレコードから構成される。
【００４０】
現在購入行動情報テーブル１１６１は、現在行為情報のうち、仮購入に基づき投票券を購入する行為に関する情報（以下、現在購入行動情報、又は現在購入情報という）の履歴を記録している。同図に示すように、現在購入行動情報テーブル１１６１は、資産投下者を特定する情報であるユーザ１１６２と、開催レースが開催される日付を特定する情報である開催年月日１１６３と、そのレースが開催される場所を特定する情報である開催場１１６４と、そのレースを特定するための情報であるレース番号１１６５と、投票券の購入の方法（例えば、単勝、複勝、連勝（三連単等））を特定する情報である式別１１６６と、投票券の購入対象の競走馬を特定する情報である組番Ａ１１６７、組番Ｂ１１６８、及び組番Ｃ１１６９と、購入する投票券の数（票数）を特定する票数１１７０と、購入の時刻を特定する情報である行動時刻１１７１とを含む各項目を有する、少なくとも１つ以上
のレコードから構成される。
【００４１】
図７は、過去状況情報テーブル３１３の一例を説明する図である。同図に示すように、過去状況情報テーブル３１３は、現在状況情報テーブル３１１に対応しており、資産投下の対象（本実施形態では競走馬）の過去の状態を示す情報（過去状況情報）を記録したテーブルであり、過去レース状況情報テーブル１２０１、及び過去競走馬状況情報テーブル１２２１を含んで構成される。
【００４２】
過去レース状況情報テーブル１２０１は、過去状況情報のうち、各競走馬が出走したレース（以下、過去レースという）に関する情報（以下、過去レース状況情報という）を記録したテーブルであり、過去レースが開催された日付を特定する情報である開催年月日１２０２、そのレースが開催された場所を示す情報である開催場１２０３、そのレースを特定するための情報であるレース番号１２０４、そのレースの距離に関する情報である距離１２０５、そのレースの馬場の状態を示す情報である馬場１２０６、及びそのレースが開催された日付における天候を示す情報である天気１２０７の各項目を含む、少なくとも１つ以上のレコードから構成される。
【００４３】
過去競走馬状況情報テーブル１２２１は、過去状況情報のうち、出走した各競走馬の属性に関する情報（以下、過去競走馬状況情報という）を記録したテーブルであり、過去レースが開催された日付を特定する情報である開催年月日１２２２、そのレースが開催された場所を示す情報である開催場１２２３、そのレースを特定するための情報であるレース番号１２２４、そのレースに出走した競走馬を特定するための情報である馬番１２２５、その競走馬の名称である競走馬名１２２６、その競走馬のオッズに関する情報であるオッズ１２２７、及びその競走馬の着順に関する情報である着順１２２８の各項目を含む、少なくとも１つ以上のレコードから構成される。なお、オッズ１２２７には、連勝等、複数の競走馬に対するオッズの情報も記録される。
【００４４】
図８は、過去行動情報テーブル３１４の一例を説明する図である。同図に示すように、過去行動情報テーブル３１４は、現在行動情報テーブル３１２に対応した、過去行為情報の履歴を記録したテーブルであり、過去評価行動情報テーブル１３０１、過去軸選択行動情報テーブル１３２１、過去仮購入行動情報テーブル１３４１、及び過去購入行動情報テーブル１３６１を含んで構成される。
【００４５】
過去評価行動情報テーブル１３０１は、過去行為情報のうち、過去レースにおける評価行為に関する情報（以下、過去評価行動情報、又は過去評価行為情報という）の履歴を記録している。同図に示すように、過去評価行動情報テーブル１３０１は、資産投下者を特定する情報であるユーザ１３０２、過去レースが開催された日付を特定する情報である開催年月日１３０３、そのレースが開催された場所を特定する情報である開催場１３０４、そのレースを特定するための情報であるレース番号１３０５、そのレースに出走した競走馬を特定する情報である馬番１３０６、競走馬に対する評価行為の内容を特定する情報である評価１３０７、及びその評価行為が行われた時刻を特定する情報である行動時刻１３０８の各項目を含む、少なくとも１つ以上のレコードから構成される。
【００４６】
過去軸選択行動情報テーブル１３２１は、過去行為情報のうち、過去レースにおける軸選択に関する情報の履歴を記録している。同図に示すように、過去軸選択行動情報テーブル１３２１は、資産投下者を特定する情報であるユーザ１３２２、過去レースが開催された日付を特定する情報である開催年月日１３２３、そのレースが開催された場所を特定する情報である開催場１３２４、そのレースを特定するための情報であるレース番号１３２５、軸選択の内容を特定する情報である軸選択１３２６、及び軸選択が行われた時刻を特定する情報である行動時刻１３２７の各項目を含む、少なくとも１つ以上のレコードから
構成される。
【００４７】
過去仮購入行動情報テーブル１３４１は、過去行為情報のうち、過去レースにおける仮購入に関する情報の履歴を記録している。同図に示すように、過去仮購入行動情報テーブル１３４１は、資産投下者を特定する情報であるユーザ１３４２、過去レースが開催された日付を特定する情報である開催年月日１３４３と、そのレースが開催された場所を特定する情報である開催場１３４４と、そのレースを特定するための情報であるレース番号１３４５と、仮購入の方法（例えば、単勝、複勝、連勝（三連単等））を特定する情報である式別１３４６と、仮購入の対象の競走馬を特定する情報である組番Ａ１３４７、組番Ｂ１３４８、及び組番Ｃ１３４９と、仮購入した投票券の数（票数）を特定する票数１３５０と、仮購入の時刻を特定する情報である行動時刻１３５１とを含む各項目を有する、少なくとも１つ以上のレコードから構成される。
【００４８】
過去購入行動情報テーブル１３６１は、過去行為情報のうち、過去レースにおける購入に関する情報の履歴を記録している。同図に示すように、過去購入行動情報テーブル１３６１は、資産投下者を特定する情報であるユーザ１３６２と、過去レースが開催された日付を特定する情報である開催年月日１３６３と、そのレースが開催された場所を特定する情報である開催場１３６４と、そのレースを特定するための情報であるレース番号１３６５と、投票券の購入の方法（例えば、単勝、複勝、連勝（三連単等））を特定する情報である式別１３６６と、投票券を購入した競走馬を特定する情報である組番Ａ１３６７、組番Ｂ１３６８、及び組番Ｃ１３６９と、購入した投票券の数（票数）を特定する情報である票数１３７０と、購入の時刻を特定する情報である行動時刻１３７１とを含む各項目を有する、少なくとも１つ以上のレコードから構成される。
【００４９】
図９は、過去結果情報テーブル３１５の一例を説明する図である。過去結果情報テーブル３１５は、過去結果情報の履歴を記録しており、過去投票結果情報テーブル１４０１を含む。
【００５０】
過去投票結果情報テーブル１４０１は、過去結果情報のうち、過去レースにおける投票券の購入の結果の情報（以下、過去投票結果情報、又は過去購入情報という）を記録したテーブルであり、資産投下者を特定する情報であるユーザ１４０２と、過去レースが開催された日付を特定する情報である開催年月日１４０３と、そのレースが開催された場所を特定する情報である開催場１４０４と、そのレースを特定するための情報であるレース番号１４０５と、投票券の購入の方法（例えば、単勝、複勝、連勝（三連単等））を特定する情報である式別１４０６と、その購入の対象となった競走馬を特定する情報である組番Ａ１４０７、組番Ｂ１４０８、及び組番Ｃ１４０９と、購入した投票券の数（票数）を特定する情報である票数１４１０と、その投票券の購入の結果得られた金額を示す情報である結果１４１１とを含む各項目を有する、少なくとも１つ以上のレコードから構成される。
【００５１】
＜端末１０２に表示される画面＞
【００５２】
図１０は、端末１０２の出力部９０５に表示される画面（以下、購入画面という）の一例である。購入画面２８０１は、資産投下支援サーバ１０３から送信されてくる情報に基づき、ブラウザ１０５の機能により表示される。ブラウザ１０５は、購入画面２８０１に、各種の情報を表示すると共に、入力部９０４を介して資産投下者等からの入力を受け付ける。
【００５３】
同図に示すように、購入画面２８０１は、現在レース状況情報（開催年月日、開催場、レース番号等の情報）が表示されるレース領域２８０２、資産投下者（ここでは、第１の
資産投下者）を特定する情報が表示されるユーザ領域２８０３、現在評価行動情報が表示される評価領域２８１１、現在仮購入行動情報が表示される仮購入領域２８２１、現在購入行動情報が表示される購入領域２８３１、及び第２の資産投下者に関する情報が表示される参考情報領域２８４１の各領域を有する。
【００５４】
評価領域２８１１には、現在評価行動情報テーブル１１０１のうち第１の資産投下者のレコードの内容に関する情報が表示される。すなわち、評価領域２８１１は、上記レコードの馬番１１０６に対応する情報が表示される馬番２８１２、上記レコードの馬番１１０６に対応する、現在競走馬状況情報テーブル１０２１の競走馬名１０２６の情報が表示される馬名２８１３、及び、上記レコードの馬番１１０６に対応する、現在競走馬状況情報テーブル１０２１の馬番１０２５に対応するオッズ１０２７の情報が表示されるオッズ２８１４の各項目を有する、少なくとも１つ以上のレコードを有する。
【００５５】
また、評価領域２８１１は、入力項目として、評価２８１５を各レコードに有する。評価２８１５は、各レコードの馬番２８１２の競走馬に対する評価の入力を受け付ける。
【００５６】
また、評価領域２８１１は、入力項目として、軸選択２８１６を各レコードに有する。軸選択２８１６は、各レコードの馬番２８１２の競走馬に対する軸選択の入力を受け付ける。軸選択２８１６の入力が受け付けられると、仮購入を行うための画面（以下、仮購入画面という）が表示される。仮購入画面は、資産投下支援サーバ１０３から送信されてくるデータに基づき、ブラウザ１０５の機能により表示される。
【００５７】
図１１は仮購入画面の一例を説明する図である。同図に示すように、仮購入画面２９０１は、現在レース状況情報が表示されるレース領域２９０２、資産投下者（例えば、第１の資産投下者）を特定する情報が表示されるユーザ領域２９０３、現在評価行動情報が表示される評価領域２９１１、及び現在仮購入行動情報が表示される仮購入領域２９２１の各表示領域を有する。
【００５８】
評価領域２９１１は、購入画面２８０１の評価領域２８１１に対応する領域である。すなわち、評価領域２９１１には、現在評価行動情報テーブル１１０１のうち第１の資産投下者のレコードの内容に関する情報が表示される。評価領域２９１１は、上記レコードの馬番１１０６に対応する情報が表示される馬番２９１２、上記レコードの馬番１１０６に対応する、現在競走馬状況情報テーブル１０２１の競走馬名１０２６の情報が表示される馬名２９１３、上記レコードの馬番１１０６に対応する、現在競走馬状況情報テーブル１０２１の馬番１０２５に対応するオッズ１０２７の情報が表示されるオッズ２９１４、及び、上記レコードの馬番２８１２に対応する予想２９１５の各表示項目を有する、少なくとも１つ以上のレコードを有する。
【００５９】
仮購入領域２９２１は、式別２９２２、組番２９２３、投票数入力２９２５、追加２９３１、及び仮購入２９３２の各項目を有する、１つ以上のレコードの入力を受け付ける。式別２９２２は、レコードごとに、投票券の仮購入の方法の入力を受け付ける。組番２９２３は、レコードごとに、仮購入の対象の競走馬（同図では軸馬である馬番Ａ以外の、馬番Ｂ及び馬番Ｃ）の入力を受け付ける。投票数入力２９２５は、レコードごとに、仮購入する投票券の数（票数）の入力を受け付ける。
【００６０】
オッズ２９２４には、上記レコードごとに、式別２９２２に対応する、現在競走馬状況情報テーブル１０２１のオッズ１０２７に関する情報が表示される。
【００６１】
追加２９３１は、仮購入を新たに行う場合に入力される入力項目であり、入力がなされると、式別２９２２、組番２９２３、オッズ２９２４、及び投票数入力２９２５の入力欄
又は表示欄が新たに表示される。
【００６２】
仮購入２９３２は、仮購入を確定する場合に入力される入力項目であり、入力がなされると、仮購入画面２９０１が非表示となり、購入画面２８０１に遷移する（購入画面２８０１が再表示される）。
【００６３】
図１０の購入画面２８０１の仮購入領域２８２１には、仮購入画面２９０１の仮購入領域２９２１の各レコードの内容に対応する情報が表示される。すなわち、仮購入領域２８２１は、仮購入画面２９０１の式別２９２２に対応する情報が表示される式別２８２２、組番２９２３に対応する情報が表示される組番２８２３、オッズ２９２４に対応する情報が表示されるオッズ２８２４、及び、投票数入力２９２５に対応する情報が表示される投票数２８２５の各項目を有する、１つ以上のレコードを表示する。
【００６４】
また、仮購入領域２８２１は、入力項目として、購入２８２６を各レコードに有する。購入２８２６は、購入を確定する場合に入力される入力項目であり、入力がなされると、その入力があった仮購入領域２８２１のレコードの内容が、購入領域２８３１に表示される。
【００６５】
すなわち、購入領域２８３１には、式別２８２２の項目が表示される式別２８３２、組番２８２３に対応する情報が表示される組番２８３３、オッズ２８２４に対応する情報が表示されるオッズ２８３４、及び投票数２８２５に対応する情報が表示される投票数２８３５の各項目を有する、１つ以上のレコードが表示される。
【００６６】
参考情報領域２８４１は、第２の資産投下者を選択する参考対象２８４２、参考対象２８４２により特定された第２の資産投下者のうち、第１の資産投下者の現在行為情報に類似する第２の資産投下者の過去行為情報を抽出する基準（以下、優先類似度という）の選択を受け付ける優先類似度２８４３、及び、優先類似度に基づき抽出した過去行為情報（参考情報）に関する情報を表示させる表示２８４４の各入力項目を有する。
【００６７】
なお、参考対象２８４２には、「自身」、「他者」等の選択項目がある。また、優先類似度２８４３には、「レース類似優先」等の選択項目がある。詳細は後述する。
【００６８】
レース領域２８４５には、上記抽出した過去行為情報に対応する過去レースの過去レース状況情報が表示される。類似ユーザ領域２８４６には、上記特定された第２の資産投下者と第１の資産投下者との間の類似性に関する情報が表示される。類似行為領域２８４７には、上記抽出した過去行為情報と、現在行為情報との間の類似性に関する情報が表示される。過去結果領域２８６１には、上記抽出した過去行為情報が示す行為に基づく資産投下の結果に関する過去結果情報のうち、資産投下の費用対効果が最も高い結果を示している過去結果情報が表示される。過去競走馬領域２８５１には、過去結果領域２８６１が表示している過去結果情報に対応する過去レースの過去競走馬状況情報が表示される。
【００６９】
過去競走馬領域２８５１には、過去競走馬状況情報テーブル１２２１の各レコードの内容に対応する情報が表示される。すなわち、過去競走馬領域２８５１は、各レコードの馬番１２２５に対応する情報が表示される馬番２８５２、各レコードの競走馬名１２２６に対応する情報が表示される馬名２８５３、各レコードのオッズ１２２７に対応する情報が表示されるオッズ２８５４、各レコードの着順１２２８に対応する情報が表示される着順２８５６、及び馬番１２２５に対応する、過去評価行動情報テーブル１３０１の馬番１３０６に対応する評価１３０７の情報が表示される予想２８５５の各表示項目を有する。
【００７０】
過去結果領域２８６１には、過去投票結果情報テーブル１４０１の各レコードの内容に
関する情報が表示される。すなわち、過去結果領域２８６１は、上記各レコードの式別１４０６に対応する情報が表示される式別２８６２と、上記各レコードの組番Ａ１４０７、組番Ｂ１４０８、及び組番Ｃ１４０９に対応する情報が表示される組番２８６３と、式別２８６２に対応する、過去競走馬状況情報テーブル１２２１のオッズ１２２７に対応する情報が表示されるオッズ２８６４と、上記各レコードの票数１４１０に対応する情報が表示される投票数２８６５と、上記各レコードの結果１４１１に対応する情報が表示される収支２８６６とを有する。また、過去結果領域２８６１は、各レコードの収支２８６６の結果（合計金額）である総収支２８６７の表示項目を有する。
【００７１】
＜資産投下支援システム１０１において行われる処理＞
図１２、及び図１３は、資産投下支援システム１０１において行われる処理を説明するフローチャートである。
【００７２】
図１２は、資産投下支援システム１０１において行われる処理のうち、資産投下支援サーバ１０３が、現在情報を記録すると共に、参考情報を出力する処理（以下、現在情報記録・参考情報特定処理Ｓ１０という）を説明するフローチャートである。現在情報記録・参考情報特定処理Ｓ１０は、例えば、資産投下支援サーバ１０３が、端末１０２のブラウザ１０５に購入画面２８０１を表示させた際に開始される。なお、本実施形態では、複数ある端末１０２のうち所定の端末（以下、第１端末という）に購入画面２８０１が表示された場合について説明する。
【００７３】
同図に示すように、資産投下支援サーバ１０３は、第１端末の入力部９０４による入力を監視している（Ｓ１１）。
【００７４】
入力部９０４に入力があると、資産投下支援サーバ１０３は、この入力の内容を特定する。この入力が購入画面２８０１の評価２８１５への入力であった場合は、資産投下支援サーバ１０３は、現在評価行動情報を記録する処理（以下、現在評価行動情報記録処理Ｓ１９０１という）を実行する（Ｓ１９０１）。この処理の詳細は後述する。その後はＳ１１に戻る。
【００７５】
Ｓ１１における入力が、軸選択２８１６への入力であった場合は、資産投下支援サーバ１０３は、現在軸選択行動情報を記録する処理（以下、現在行動情報記録処理Ｓ２００１という）を実行する（Ｓ２００１）。この処理の詳細は後述する。
【００７６】
そして、現在行動情報記録処理Ｓ２００１の終了後、資産投下支援サーバ１０３は、仮購入画面２９０１を生成し、生成した仮購入画面２９０１を第１端末に送信する（Ｓ１４）。仮購入画面２９０１を受信した第１端末は、受信した仮購入画面２９０１を表示する。
【００７７】
そして資産投下支援サーバ１０３は、第１端末に表示されている仮購入画面２９０１において入力部９０４による入力を監視する（Ｓ１５）。そして、仮購入画面２９０１の仮購入２９３２への入力があると、資産投下支援サーバ１０３は、現在仮購入行動情報を記録する処理（以下、現在仮購入行動情報記録処理Ｓ２１０１という）を実行する（Ｓ２１０１）。この処理の詳細は後述する。
【００７８】
その後、資産投下支援サーバ１０３は、第１端末に、仮購入画面２９０１を非表示とする要求を送信し（Ｓ１７）、この要求を受信した第１端末は、仮購入画面２９０１を非表示とする。その後は、Ｓ１１に戻る。
【００７９】
Ｓ１１における入力が、購入２８２６への入力であった場合は、資産投下支援サーバ１
０３は、現在購入行動情報を記録する処理（以下、現在購入行動情報記録処理Ｓ２２０１という）を実行する（Ｓ２２０１）。この処理の詳細は後述する。その後はＳ１１に戻る。
【００８０】
Ｓ１１における入力が、表示２８４４への入力であった場合は、資産投下支援サーバ１０３は、参考情報を特定する処理（以下、参考情報特定処理Ｓ３００１という）を実行する（Ｓ３００１）。この処理の詳細は後述する。
【００８１】
そして、資産投下支援サーバ１０３は、特定した参考情報を端末１０２に送信し、端末１０２は受信した参考情報を購入画面２８０１に出力する（Ｓ１９）。その後はＳ１１に戻る。
【００８２】
図１３は、資産投下支援サーバ１０３が行う処理のうち、過去情報を記録する処理（以下、過去情報記録処理Ｓ２０という）を説明するフローチャートである。過去情報記録処理Ｓ２０は、所定のタイミング又は時間間隔、例えば、各開催レースが終了し（以下、この終了した開催レースを終了レースという）、管理サーバ１０６から、この終了レースにおける競走馬の着順に関する情報（以下、着順情報という）が資産投下支援サーバ１０３に送信されたことを契機に開始される。
【００８３】
同図に示すように、資産投下支援サーバ１０３は、過去結果情報を記録する処理（以下、過去結果情報記録処理Ｓ１８０２という）を実行する。この処理の詳細は後述する。
【００８４】
また、資産投下支援サーバ１０３は、過去状況情報、及び過去行為情報を記録する処理（以下、過去状況・行為情報記録処理Ｓ１８０３という）を実行する。この処理の詳細は後述する。その後はＳ１８０２に戻る。
【００８５】
図１４は、現在評価行動情報記録処理Ｓ１９０１の詳細を説明するフローチャートである。同図に示すように、資産投下支援サーバ１０３は、端末１０２から、評価領域２８１１の評価２８１５の内容を評価情報として取得する（Ｓ１９０２）。また、資産投下支援サーバ１０３は、現在時刻から開催レースの開始予定時刻までの時間（管理サーバ１０６等から取得される）を行動時刻として算出する。そして資産投下支援サーバ１０３は、現在評価行動情報テーブル１１０１に新たなレコードを生成し、生成したレコードの評価１１０７に、上記取得した評価情報を格納し、算出した行動時刻を行動時刻１１０８に格納する（Ｓ１９０３）。また、資産投下支援サーバ１０３は、生成したレコードのユーザ１１０２に、ユーザ領域２８０３の情報を格納し、生成したレコードの開催年月日１１０３、開催場１１０４、及びレース番号１１０５に、レース領域２８０２の情報を格納する。
【００８６】
図１５は、現在軸選択行動情報記録処理Ｓ２００１の詳細を説明するフローチャートである。同図に示すように、資産投下支援サーバ１０３は、購入画面２８０１の評価領域２８１１から選択された軸選択２８１６に対応する馬番２８１２の情報を軸選択情報として取得する（Ｓ２００２）。また、資産投下支援サーバ１０３は、現在時刻から開催レースの開始予定時刻までの時間（管理サーバ１０６等から取得される）を行動時刻として算出する。そして資産投下支援サーバ１０３は、現在軸選択行動情報テーブル１１２１のレコードを新たに生成し、生成したレコードの軸選択１１２６に、取得した軸選択情報を格納し、算出した行動時刻を、行動時刻１１２７に格納する（Ｓ２００３）。また、資産投下支援サーバ１０３は、生成したレコードのユーザ１１２２に、ユーザ領域２８０３の情報を格納し、生成したレコードの開催年月日１１２３、開催場１１２４、及びレース番号１１２５に、レース領域２８０２の情報を格納する。
【００８７】
図１６は、現在仮購入情報録処理Ｓ２１０１の詳細を説明するフローチャートである。
同図に示すように、資産投下支援サーバ１０３は、購入画面２８０１の式別２８２２、組番２８２３、及び投票数２８２５の情報を仮購入情報として取得する（Ｓ２１０２）。また、資産投下支援サーバ１０３は、現在時刻から開催レースの開始予定時刻までの時間（管理サーバ１０６等から取得される）を行動時刻として算出する。そして、資産投下支援サーバ１０３は、現在仮購入行動情報テーブル１１４１のレコードを新たに生成し、上記取得した仮購入情報を式別１１４６、組番（組番Ａ１１４７、組番Ｂ１１４８、及び組番Ｃ１１４９）、及び票数１１５０のそれぞれに格納し、算出した行動時刻を、行動時刻１１５１に格納する（Ｓ２１０３）。また、資産投下支援サーバ１０３は、生成したレコードのユーザ１１４２に、ユーザ領域２８０３の情報を格納し、生成したレコードの開催年月日１１４３、開催場１１４４、及びレース番号１１４５に、レース領域２８０２の情報を格納する。
【００８８】
図１７は、現在購入情報記録処理Ｓ２２０１を示すフローチャートである。同図に示すように、資産投下支援サーバ１０３は、購入領域２８３１の式別２８３２、組番２８３３、及び投票数２８３５を、購入情報として取得する（Ｓ２２０２）。また、資産投下支援サーバ１０３は、現在時刻から開催レースの開始予定時刻までの時間（管理サーバ１０６等から取得される）を行動時刻として算出する。そして、資産投下支援サーバ１０３は、現在購入行動情報テーブル１１６１に新たなレコードを生成し、生成したレコードの式別１１６６、組番Ａ１１６７、組番Ｂ１１６８、組番Ｃ１１６９、及び票数１１７０に取得した購入情報を格納し、生成したレコードの行動時刻１１７１に算出した行動時刻を格納する（Ｓ２２０３）。また、資産投下支援サーバ１０３は、生成したレコードのユーザ１１６２に、ユーザ領域２８０３の情報を格納し、生成したレコードの開催年月日１１６３、開催場１１６４、及びレース番号１１６５に、レース領域２８０２の情報を格納する。
【００８９】
図１８は、参考情報特定処理Ｓ３００１の詳細を説明するフローチャートである。同図に示すように、資産投下支援サーバ１０３は、まず、参考対象２８４２の入力内容を判断し（Ｓ２５０２）、参考対象２８４２の内容が「自身」であると判断した場合は、資産投下支援サーバ１０３は、まず、第２の資産投下者として第１の資産投下者を特定する。その後、処理はＳ１７０３に進む。
【００９０】
一方、資産投下支援サーバ１０３は、参考対象２８４２の内容が「他者」であると判断した場合、複数の資産投下者から、第２の資産投下者として第１の資産投下者以外の資産投下者を特定する処理（以下、他者特定処理Ｓ１７０２という）を実行する。この処理の詳細は後述する。その後、処理はＳ１７０３に進む。
【００９１】
次に、資産投下支援サーバ１０３は、過去情報のうち、Ｓ１６０１又はＳ１７０２で特定した第２の資産投下者の過去行為情報と、この過去行為情報に対応する過去結果情報とを取得する処理（以下、類似過去行為情報取得処理Ｓ１７０３という）を実行する（Ｓ１７０３）。この処理の詳細は後述する。
【００９２】
次に資産投下支援サーバ１０３は、Ｓ１７０３で取得した過去行為情報のうち、Ｓ１９０１、Ｓ２００１、又はＳ２２０１で記憶した現在行為情報に類似する過去行為情報を抽出し、抽出した過去行為情報が示す行為に基づく資産投下の結果に関する過去結果情報を特定する処理（以下、類似過去結果情報特定処理Ｓ１７０４という）を実行する（Ｓ１７０４）。この処理の詳細は後述する。以上で参考情報特定処理Ｓ３００１は終了する（Ｓ１７０５）。
【００９３】
図１９は、類似過去行為情報取得処理Ｓ１７０３の詳細を説明するフローチャートである。同図に示すように、資産投下支援サーバ１０３は、第１の資産投下者の現在行為情報を取得する（Ｓ２３０２）。具体的には、資産投下支援サーバ１０３は、現在評価行動情
報テーブル１１０１、現在軸選択行動情報テーブル１１２１、現在仮購入行動情報テーブル１１４１、及び現在購入行動情報テーブル１１６１の各レコードを取得し、取得したレコードのうち、第１の資産投下者の情報が記録されたレコード（ユーザ１１０２、ユーザ１１２２、ユーザ１１４２、及びユーザ１１６２のそれぞれに第１の資産投下者の情報が記録されたレコード）を取得する。また、資産投下支援サーバ１０３は、現在レース状況情報テーブル１００１、及び現在競走馬状況情報テーブル１０２１の開催レースのレコードの内容を取得する。
【００９４】
また、資産投下支援サーバ１０３は、第２の資産投下者の過去行為情報を取得する（Ｓ２３０３）。具体的には、資産投下支援サーバ１０３は、過去評価行動情報テーブル１３０１、過去軸選択行動情報テーブル１３２１、過去仮購入行動情報テーブル１３４１、及び過去購入行動情報テーブル１３６１の各レコードを取得し、取得したレコードのうち、Ｓ１６０１又はＳ１７０２で特定した第２の資産投下者の情報が記録されたレコード（ユーザ１３０２、ユーザ１３２２、ユーザ１３４２、及びユーザ１３６２のそれぞれに他者特定処理Ｓ１７０２で特定した資産投下者の情報が記録されたレコード）を取得する。また、資産投下支援サーバ１０３は、過去レース状況情報テーブル１２０１、及び過去競走馬状況情報テーブル１２２１の過去レースのレコードの内容を取得する。
【００９５】
そして、資産投下支援サーバ１０３は、Ｓ２３０２で取得した第１の資産投下者の現在行為情報と、Ｓ２３０３で取得した第２の資産投下者の過去行為情報との類似度を算出する（Ｓ２３０４）。
【００９６】
類似度としては、例えば、過去行為情報、及び過去結果情報に基づき算出される評価行動類似度がある。
【００９７】
資産投下支援サーバ１０３は、評価行動類似度を、例えば、以下のようにして算出する。まず、第１の資産投下者の現在の（開催レースにおける）最終評価の傾向を求める。すなわち、Ｓ２３０２で取得した現在競走馬状況情報テーブル１０２１の各レコードの馬番１０２５とオッズ１０２７（ここでは例えば人気順に変換する）を取得する。また、Ｓ２３０２で取得した現在評価行動情報テーブル１１０１のレコードのうち、上記取得した馬番１０２５に対応する馬番１１０６を有するレコードを全て取得し、取得したレコードのうち行動時刻１１０８が現在時刻に最も近いレコードの評価１１０７を取得する。そして、取得したオッズ１０２７（人気順）と取得した評価１１０７の相関関係を算出して第１の資産投下者の現在の最終評価の傾向とする。このように、各競走馬に対するオッズと、その競走馬に対する資産投下者の最終評価との関係を数値化する。なお、オッズにより特定される評価（人気順）と、資産投下者による最終評価との間の関係は、例えば、後述する変換表３０００を用いて数値化する。
【００９８】
続いて、第１の資産投下者の現在の（開催レースにおける）評価過程の傾向を求める。すなわち、Ｓ２３０２で取得した現在競走馬状況情報テーブル１０２１の各レコードの馬番１０２５とオッズ１０２７（人気順）を取得する。また、現在評価行動情報テーブル１１０１のレコードのうち、上記取得した馬番１０２５に対応する馬番１１０６を有するレコードを全て取得し、取得したレコードのうち行動時刻１１０８が現在時刻に最も遠いレコードの評価１１０７及び行動時刻１１０８が現在時刻に最も近いレコードの評価１１０７を取得する。そして、取得した２つの評価１１０７の項目の変化と、取得したオッズ１０２７（人気順）との相関関係を算出して第１の資産投下者の現在の評価過程の傾向とする。このように、各競走馬に対するオッズ（人気順）と、その競走馬に対する資産投下者の評価の変化との関係を数値化する。なお、資産投下者の評価の変化は、例えば、後述する変換表３１００を用いて数値化する。
【００９９】
第２の資産投下者についても同様であり、まず、第２の資産投下者の過去の最終評価の傾向、及び過去の評価過程の傾向を求める。すなわち、Ｓ２３０３で取得した過去競走馬状況情報テーブル１２２１及び過去評価行動情報テーブル１３０１のレコード（過去レースのレコード）に基づき、過去レースごとに、第２の資産投下者の過去の最終評価の傾向（相関関係）を算出する。また、過去レースごとに、第２の資産投下者の過去の評価過程の傾向（相関関係）を算出する。なお、過去レースのそれぞれは、例えば、過去競走馬状況情報テーブル１２２１の開催年月日１２２２に基づき特定する。
【０１００】
続いて、最終評価の傾向の類似度、及び評価過程の傾向の類似度を求める。すなわち、過去レースごとに、算出した第１の資産投下者の現在の最終評価の傾向と、算出した第２の資産投下者の過去の最終評価の傾向との間の類似度を、例えば人気順ごとに算出し、これらを最終評価類似度として算出する。また、算出した第１の資産投下者の過去の評価過程の傾向と、算出した第２の資産投下者の過去の評価過程の傾向との間の類似度を、例えば人気順ごとに算出し、これらを評価過程類似度として算出する。
【０１０１】
そして、各過去レースにおいて、人気順ごとに、最終評価類似度と評価過程類似度の積を求めた上で、さらにその積のそれぞれに当該人気順による重み付けの数値を乗算することで、人気順ごとの乗算値を求める。そして、求めた乗算値のそれぞれを合計することで、過去レースごとの、評価行動類似度を算出する。
【０１０２】
なお、上記では、過去行為情報と過去状況情報（オッズ又は評価の情報）に基づき類似度を算出したが、過去行為情報のみに基づいて類似度を算出してもよい（物色行動類似度）。また、過去状況情報のうちオッズの情報のみに基づき類似度を算出してもよい（オッズ分布類似度）。また、過去状況情報のうちレースの情報（レースの距離、馬場、天気等）のみに基づき類似度を算出してもよい（レース類似度）。また、これらを総合した類似度を算出してもよい（総合類似度）。
【０１０３】
図２０は、類似過去結果情報特定処理Ｓ１７０４の詳細を説明するフローチャートである。同図に示すように、資産投下支援サーバ１０３は、まず、優先類似度２８４３の内容を取得する（Ｓ２４０２）。ここでは、優先類似度２８４３として「レース類似優先」が取得されたとする。
【０１０４】
次に、資産投下支援サーバ１０３は、Ｓ１７０３で抽出した過去行為情報が示す行為に基づく資産投下の結果に関する過去結果情報を取得する（Ｓ２４０３）。具体的には、例えば、資産投下支援サーバ１０３は、Ｓ２３０３で取得した過去購入行動情報テーブル１３６１のレコードのうち、ユーザ１３６２に第１の資産投下者が記録されているレコードを全て特定し、特定したレコードの開催年月日１３６３、開催場１３６４、及びレース番号１３６５と同内容の情報が開催年月日１４０３、開催場１４０４、及びレース番号１４０５に記録されている過去投票結果情報テーブル１４０１のレコードを全て取得する。
【０１０５】
そして、資産投下支援サーバ１０３は、Ｓ２４０２で取得した優先類似度と、類似過去行為情報取得処理Ｓ１７０３で算出した類似度とに基づき、Ｓ２４０３で取得した過去結果情報のうち、資産投下の費用対効果が最も高い結果を示している過去結果情報を特定する（Ｓ２４０４）。具体的には、例えば、資産投下支援サーバ１０３は、Ｓ１７０３で各過去レースごとに算出した、現在行為情報と過去行為情報との間の類似度のうち、所定値以上の類似度であった過去レースを特定し、特定した過去レースを記録している（例えば開催年月日１４０３で特定する）過去投票結果情報テーブル１４０１のレコードを全て取得し、取得したレコードのうち、結果１４１１が示す金額が最高値であったレコードを特定する。なお、ここでは、類似度が所定値以上で金額が最高値のレコードを取得するようにしたが、金額が所定値以上で類似度が最高値のレコードを取得するようにしてもよいし
、双方がその他所定の条件を満たすレコードを取得するようにしてもよい。
【０１０６】
図２１は、他者特定処理Ｓ１７０２の詳細を説明するフローチャートである。同図に示すように、まず、資産投下支援サーバ１０３は、第１の資産投下者が行った行為に関する過去行為情報を取得する（Ｓ２５０３）。具体的には、資産投下支援サーバ１０３は、過去評価行動情報テーブル１３０１、過去軸選択行動情報テーブル１３２１、過去仮購入行動情報テーブル１３４１、及び過去購入行動情報テーブル１３６１の過去レースの各レコードから、第１の資産投下者の行為に関するレコード（ユーザ１３０２、ユーザ１３２２、ユーザ１３４２、及びユーザ１３６２のそれぞれに第１の資産投下者の情報が格納されているレコード）を全て取得する。
【０１０７】
また、Ｓ２５０３では、資産投下支援サーバ１０３は、第１の資産投下者以外の資産投下者が行った行為に関する過去行為情報を全て取得する。具体的には、資産投下支援サーバ１０３は、過去評価行動情報テーブル１３０１、過去軸選択行動情報テーブル１３２１、過去仮購入行動情報テーブル１３４１、及び過去購入行動情報テーブル１３６１の過去レースの各レコードから、第１の資産投下者以外の資産投下者の行為に関するレコード（ユーザ１３０２、ユーザ１３２２、ユーザ１３４２、及びユーザ１３６２のそれぞれに第１の資産投下者以外の資産投下者の情報が格納されているレコード）を全て取得する。
【０１０８】
そして、資産投下支援サーバ１０３は、Ｓ２５０３で取得した第１の資産投下者が行った行為に関する過去行為情報と、第１の資産投下者以外の各資産投下者とが行った行為に関する過去行為情報の間の類似度を算出し、算出した類似度のそれぞれのうち、最高の類似度を有する、第１の資産投下者以外の資産投下者を特定する（Ｓ２５０４）。
【０１０９】
上記の類似度としては、例えば、前述した評価行動類似度、物色行動類似度などがある。
【０１１０】
例えば、評価行動類似度の算出方法としては、第１の資産投下者について、Ｓ２３０４で説明した方法と同様の方法で、各競走馬について、オッズ１２２７（人気順）、及び評価１３０７を取得する。そして、オッズ１２２７が示す人気順と評価１３０７が示す評価の間に高い正の相関関係（例えば、変換表３０００を用いて相関関係を算出する）がある場合は、その資産投下者の評価行動を「一番人気狙い」とする。逆に、オッズ１２２７が示す人気順と評価１３０７が示す評価の間に高い負の相関関係（例えば、変換表３０００を用いて相関関係を算出する）がある場合は、その資産投下者の評価行動を「穴馬狙い」とする。このような評価行動の算出を、第１の資産投下者以外の資産投下者のそれぞれについても行い、第１の資産投下者に類似する評価行動を有する、第１の資産投下者以外の資産投下者を特定する。なお、この場合の類似の判定は、例えば、算出した各資産投下者の評価行動を数値化した上で、第１の資産投下者の評価行動の数値と、第１の資産投下者以外の各資産投下者の評価行動の数値との間のユークリッド距離を算出することで行う。
【０１１１】
また、他の評価行動類似度の算出方法としては、例えば、第１の資産投下者について、Ｓ２３０４で説明した方法と同様の方法で、各競走馬についてのオッズ１２２７（人気順）と、これに対する評価１３０７の項目の変化量とを取得する。そして、評価１３０７の項目の変化量が所定値以下である競走馬の割合が所定値以上である場合は、その資産投下者の評価行動を「第一印象重視派」とする。また、評価１３０７の項目の変化量が所定値以上である競走馬の割合が所定値以上である場合は、その資産投下者の評価行動を「優柔不断」とする。また、評価１３０７の項目の変化を３つ以上取得した場合に、その項目の値の範囲は所定範囲以内であるがその増減量が所定値以上である場合は、その資産投下者の評価行動を「微調整派」とする。このような評価行動の算出を、第１の資産投下者以外の資産投下者のそれぞれについても行い、第１の資産投下者に類似する評価行動を有する
、第１の資産投下者以外の資産投下者を特定する。なお、この場合の類似の判定は、例えば、算出した各資産投下者の評価行動を数値化した上で、第１の資産投下者の評価行動の数値と、第１の資産投下者以外の各資産投下者の評価行動の数値との間のユークリッド距離を算出することで行う。
【０１１２】
なお、上記の例では、第１の資産投下者を除いた資産投下者を第２の資産投下者の対象としたが、第１の資産投下者を比較対象者としてもよい。
【０１１３】
図２２は、過去結果情報記録処理Ｓ１８０２の詳細を説明するフローチャートである。同図に示すように、まず、資産投下支援サーバ１０３は、管理サーバ１０６から送信された、終了レースの着順情報の内容で、現在状況情報を更新する（Ｓ２６０２）。具体的には、資産投下支援サーバ１０３は、着順情報の着順の情報を、現在競走馬状況情報テーブル１０２１の着順１０２８に格納する。
【０１１４】
次に、資産投下支援サーバ１０３は、Ｓ２６０２で更新した現在状況情報、及び記憶している現在行為情報に基づき、過去結果情報を生成する（Ｓ２６０３）。具体的には、資産投下支援サーバ１０３は、現在購入行動情報テーブル１１６１のレコードのうち終了レースのレコード（後述）のユーザ１１６２、開催年月日１１６３、開催場１１６４、レース番号１１６５、式別１１６６、組番Ａ１１６７、組番Ｂ１１６８、組番Ｃ１１６９、及び票数１１７０を投票情報として取得する。また、資産投下支援サーバ１０３は、現在競走馬状況情報テーブル１０２１の終了レースのレコードの開催年月日１０２２、開催場１０２３、レース番号１０２４、馬番１０２５、オッズ１０２７、及び着順１０２８をレース結果情報として取得する。そして、資産投下支援サーバ１０３は、取得した投票情報、及びレース結果情報に基づき、終了レースにおける投票券の購入の結果得られた収支を算出する。なお、終了レースのレコードは、例えば、資産投下支援サーバ１０３が、上記各テーブルのレコードのうち、開催年月日の項目（開催年月日１１６３、開催年月日１０２２）が示す日付が現在日付よりも前の日付のレコードを取得することによって特定する（以下、同様）。
【０１１５】
次に、資産投下支援サーバ１０３は、Ｓ２６０３で生成した収支の情報に基づき、過去結果情報を蓄積する（Ｓ２６０４）。具体的には、資産投下支援サーバ１０３は、過去投票結果情報テーブル１４０１に新たなレコードを生成し、生成したレコードのユーザ１４０２、開催年月日１４０３、開催場１４０４、レース番号１４０５、式別１４０６、組番Ａ１４０７、組番Ｂ１４０８、及び組番Ｃ１４０９、及び票数１４１０のそれぞれに、Ｓ２６０３で取得した投票情報のそれぞれを格納する。そして、資産投下支援サーバ１０３は、Ｓ２６０３で算出した情報を、結果１４１１に格納する。
【０１１６】
図２３は、過去状況・行為情報記録処理Ｓ１８０３の詳細を説明するフローチャートである。同図に示すように、まず、資産投下支援サーバ１０３は、現在レース状況情報テーブル１００１のうち終了レースのレコードを取得し、過去レース状況情報テーブル１２０１に新たなレコードを生成し、生成したレコードに、取得した現在レース状況情報テーブル１００１のレコードの内容を格納する（Ｓ２７０２）。
【０１１７】
また、資産投下支援サーバ１０３は、現在競走馬状況情報テーブル１０２１のうち終了レースのレコードを取得し、過去競走馬状況情報テーブル１２２１に新たなレコードを生成し、生成したレコードに、取得した現在競走馬状況情報テーブル１０２１のレコードの内容を格納する（Ｓ２７０３）。
【０１１８】
そして、資産投下支援サーバ１０３は、現在レース状況情報テーブル１００１及び現在競走馬状況情報テーブル１０２１のレコードのうち、終了レースのレコードを削除する（
Ｓ２７０４）。
【０１１９】
また、資産投下支援サーバ１０３は、現在評価行動情報テーブル１１０１のうち終了レースのレコードを取得し、過去評価行動情報テーブル１３０１に新たなレコードを生成し、生成したレコードに、取得した現在評価行動情報テーブル１１０１のレコードの内容を格納する（Ｓ２７０５）。
【０１２０】
また、資産投下支援サーバ１０３は、現在軸選択行動情報テーブル１１２１のレコードのうち終了レースのレコードを取得し、過去軸選択行動情報テーブル１３２１に新たなレコードを生成し、生成したレコードに、取得した現在軸選択行動情報テーブル１１２１のレコードの内容を格納する（Ｓ２７０６）。
【０１２１】
また、資産投下支援サーバ１０３は、現在仮購入行動情報テーブル１１４１のレコードのうち終了レースのレコードを取得し、過去仮購入行動情報テーブル１３４１に新たなレコードを生成し、生成したレコードに、取得した現在仮購入行動情報テーブル１１４１のレコードの内容を格納する（Ｓ２７０７）。
【０１２２】
そして、資産投下支援サーバ１０３は、現在購入行動情報テーブル１１６１のレコードのうち終了レースのレコードを取得し、過去購入行動情報テーブル１３６１に新たなレコードを生成し、生成したレコードに、取得した現在購入行動情報テーブル１１６１のレコードの内容を格納する（Ｓ２７０８）。
【０１２３】
そして、資産投下支援サーバ１０３は、現在評価行動情報テーブル１１０１、現在軸選択行動情報テーブル１１２１、現在仮購入行動情報テーブル１１４１、及び現在購入行動情報テーブル１１６１の各レコードのうち、終了レースのレコードを削除する（Ｓ２７０９）。
【０１２４】
＜変換表について＞
図２４は、競走馬に対する評価の関係を数値化するための変換表３０００の一例を説明する図である。
【０１２５】
同図に示すように、変換表３０００は、例えば、資産投下者によりなされる評価を表す項目である第１評価３００２、３００３、３００４、３００５（それぞれ、「◎」、「○」、「△」、「▲」）と、比較対象者によりなされる評価ないし人気順を表し、第１評価３００２、３００３、３００４、３００５に対応する項目である第２評価３００６、３００７、３００８、３００９（それぞれ、「◎」、「○」、「△」、「▲」）とを有する、マトリックス表である。例えば、資産投下者による第１評価３００２として「◎」が指定され、比較対象者による第２評価として「○」が指定された場合は、その場合の２つの評価の関係は、「０．６」と数値化される。
【０１２６】
図２５は、資産投下者の評価の変化を数値化するための変換表３１００の一例を説明する図である。
【０１２７】
同図に示すように、変換表３１００は、例えば、資産投下者が行った評価を表す項目である第３評価３１０２、３１０３、３１０４、３１０５、３１０６、３１０７、３１０８と、上記評価よりも後に行った評価を表し、第３評価３１０２、３１０３、３１０４、３１０５に対応する項目である第４評価３１０９、３１１０、３１１１、３１１２、３１１３、３１１４、３１１５とを有する、マトリックス表である。
【０１２８】
第３評価３１０２（評価３↑）は、資産投下者が評価を三段階上げたことを示す。第３
評価３１０３（評価２↑）は、資産投下者が評価を二段階上げたことを示す。第３評価３１０４（評価１↑）は、資産投下者が評価を一段階上げたことを示す。第３評価３１０５（評価→）は、資産投下者が評価を変えなかったことを示す。第３評価３１０６（評価１↓）は、資産投下者が評価を一段階下げたことを示す。第３評価３１０７（評価２↓）は、資産投下者が評価を二段階下げたことを示す。第３評価３１０８（評価３↓）は、資産投下者が評価を三段階下げたことを示す。
【０１２９】
第４評価３１０９（評価３↑）は、比較される資産投下者が評価を三段階上げたことを示す。第４評価３１１０（評価２↑）は、比較される資産投下者が評価を二段階上げたことを示す。第４評価３１１１（評価１↑）は、比較される資産投下者が評価を一段階上げたことを示す。第４評価３１１２（評価→）は、比較される資産投下者が評価を変えなかったことを示す。第４評価３１１３（評価１↓）は、比較される資産投下者が評価を一段階下げたことを示す。第４評価３１１４（評価２↓）は、比較される資産投下者が評価を二段階下げたことを示す。第４評価３１１５（評価３↓）は、比較される資産投下者が評価を三段階下げたことを示す。
【０１３０】
以上に説明してきたように、本実施形態の資産投下支援システム１０１によれば、現在情報のうち、複数の資産投下者から特定した第１の資産投下者が資産投下のために現在行っている行為を示す現在行為情報を取得し、過去情報のうち、複数の資産投下者から特定した第２の資産投下者が資産投下のために過去に行った行為を示す過去行為情報と、過去行為情報に対応する過去結果情報とを取得し、取得した過去行為情報のうち、取得した現在行為情報に類似する過去行為情報を抽出し、抽出した過去行為情報が示す行為に基づく資産投下の結果に関する過去結果情報を特定し、特定した過去結果情報を、過去結果情報に対応する前記過去行為情報と共に出力するので、第１の資産投下者は、自身と行為（行動）が類似する、第２の資産投下者が過去に行った行為の情報を知ることができる。したがって、第１の資産投下者は、自身と行為・行動パターンと類似する資産投下者が行った行為を参考にして、資産投下を行うことができる。特に、その資産投下の行為・行動は自身のそれと類似するため、第１の資産投下者は、そのような行為に基づく資産投下に同調しやすく、第１の資産投下者の資産投下の意欲は促進されることとなる。このように、本実施形態の資産投下支援システム１０１によれば、資産投下者にとって適切かつ有用な情報を提供することができる。
【０１３１】
また、本実施形態の資産投下支援システム１０１は、第２の資産投下者として、第１の資産投下者を特定することができる。その結果、第１の資産投下者は、自身の過去の行為に基づく過去結果情報を知ることができる。これにより、第１の資産投下者は、自身の過去の行動・行為の情報に基づき、資産投下を行うことができ、第１の資産投下者による資産投下の意欲はより促進される。
【０１３２】
また、本実施形態の資産投下支援システム１０１は、第２の資産投下者として、第１の資産投下者以外の資産投下者を特定することができる。その結果、第１の資産投下者は、自身以外の資産投下者の過去の行為に基づく過去結果情報を知ることができる。これにより、第１の資産投下者は、他者による客観的な行動・行為の情報に基づき資産投下を行うことができ、第１の資産投下者による資産投下の意欲がより促進されることが期待される。
【０１３３】
また、本実施形態の資産投下支援システム１０１は、第２の資産投下者を、現在行為情報と過去行為情報との類似性に基づき特定することができる。これにより、第１の資産投下者の比較対象者として、行動・行為のパターンが類似する他者である資産投下者の情報を提供することができる。そして、第１の資産投下者は、他者による客観的な行為の情報に基づき、かつその行為は自身の行為を類似する情報に基づき資産投下を行うことができ
るので、第１の資産投下者による資産投下の意欲がより促進されることが期待される。
【０１３４】
また、本実施形態の資産投下支援システム１０１は、現在状況情報及び過去状況情報の類似性に基づき、現在行為情報に類似する過去行為情報を抽出することができる。これにより、第１の資産投下者は、単に自身の行為に類似するだけでなく、資産投下の状態が類似する状況の下で上記類似性がみられた行為の情報が提供されることとなり、第１の資産投下者は、より客観的な情報に基づき資産投下を行うことができるので、第１の資産投下者による資産投下の意欲がより促進されることが期待される。
【０１３５】
また、本実施形態の資産投下支援システム１０１は、特定した過去結果情報のうち、資産投下の費用対効果が最も高い結果を示している過去結果情報を取得するので、第１の資産投下者による資産投下の意欲がより促進されることが期待される。
【０１３６】
また、本実施形態の資産投下支援システム１０１は、現在評価行為情報を複数取得し、過去評価行為情報を複数取得し、取得した過去評価行為情報のうち、その評価の変化が現在評価行為情報の評価の変化に類似する過去評価行為情報を抽出することとすることができる。資産投下を行う対象に関する評価は資産投下者ごとのみならず、例えば時間によっても変化するものなので、第１の資産投下者は、このような評価の変化を加味した情報に基づく過去行為情報の提供を受けることができる。これにより、第１の資産投下者は、資産投下の対象に対する評価が変化する状況においても、より客観的な情報に基づき資産投下を行うことができるので、第１の資産投下者による資産投下の意欲がより促進されることが期待される。
【０１３７】
以上の実施例の説明は、本発明の理解を容易にするためのものであり、本発明を限定するものではない。本発明はその趣旨を逸脱することなく、変更、改良され得ると共に本発明にはその等価物が含まれる。
【０１３８】
例えば、本実施形態では、資産投下支援システム１０１は、競馬の投票券の購入を支援するシステムを前提としたが、本発明はこれに限られない。例えば、為替取引、株式取引等における通貨及び株式の売買のような、金融商品に対する資産投下に対しても適用できる。
【符号の説明】
【０１３９】
１０１  資産投下支援システム、１０２  端末、１０３  資産投下支援サーバ、３０３１
現在情報記憶部、３０３２  過去情報記憶部、３０３３  現在行為情報取得部、３０３４  過去行為結果情報取得部、３０３５  過去結果情報特定部、３０３６  情報出力部、３１１  現在状況情報テーブル、３１２  現在行動情報テーブル、３１３  過去状況情報テーブル、３１４  過去行動情報テーブル、３１５  過去結果情報テーブル
【図１】
2017107314.tif 000003
【図２】
2017107314.tif 000004
【図３】
2017107314.tif 000005
【図４】
2017107314.tif 000006
【図５】
2017107314.tif 000007
【図６】
2017107314.tif 000008
【図７】
2017107314.tif 000009
【図８】
2017107314.tif 000010
【図９】
2017107314.tif 000011
【図１０】
2017107314.tif 000012
【図１１】
2017107314.tif 000013
【図１２】
2017107314.tif 000014
【図１３】
2017107314.tif 000015
【図１４】
2017107314.tif 000016
【図１５】
2017107314.tif 000017
【図１６】
2017107314.tif 000018
【図１７】
2017107314.tif 000019
【図１８】
2017107314.tif 000020
【図１９】
2017107314.tif 000021
【図２０】
2017107314.tif 000022
【図２１】
2017107314.tif 000023
【図２２】
2017107314.tif 000024
【図２３】
2017107314.tif 000025
【図２４】
2017107314.tif 000026
【図２５】
2017107314.tif 000027